(57)【要約】【課題】イヤーヘッドが取得する音声の品質をより高める。【解決手段】本開示に係るイヤホンは、一組のイヤーヘッドセットを構成する一方のイヤホンであって、音声データを取得する音声取得部と、無線通信により他方のイヤホンから音声データを受信する通信部と、前記音声取得部が取得した前記音声データと前記他方のイヤホンから受信した前記音声データの音質を向上する処理を行う音質向上処理部と、を備える。この構成により、イヤーヘッドが取得する音声の品質をより高めることが可能となる。【選択図】図１
2019163538.tif 000002
【特許請求の範囲】
【請求項１】
一組のイヤーヘッドセットを構成する一方のイヤホンであって、
音声データを取得する音声取得部と、
無線通信により他方のイヤホンから音声データを受信する通信部と、
前記音声取得部が取得した前記音声データと前記他方のイヤホンから受信した前記音声データの音質を向上する処理を行う音質向上処理部と、
を備える、イヤホン。
【請求項２】
前記通信部は、近距離磁気誘導により前記他方のイヤホンから前記音声データを受信する、請求項１に記載のイヤホン。
【請求項３】
前記通信部は、オーディオチャンネルを用いて前記他方のイヤホンから前記音声データを受信する、請求項２に記載のイヤホン。
【請求項４】
前記他方のイヤホンから受信した前記音声データに対して前記音声取得部が取得した前記音声データを遅延させる遅延部を備える、請求項３に記載のイヤホン。
【請求項５】
前記通信部は、データチャンネルを用いて前記他方のイヤホンから前記音声データを受信する、請求項２に記載のイヤホン。
【請求項６】
前記他方のイヤホンが前記音声データの取得を開始するタイミングを示すタイミング信号を送信し、
前記音声取得部は、前記タイミング信号を送信してから所定の遅延時間の経過後に前記音声データの取得を開始する、請求項５に記載のイヤホン。
【請求項７】
前記他方のイヤホンから受信した前記音声データはエンコードされており、
前記他方のイヤホンから受信した前記音声データをデコードするデコード部を備える、請求項５に記載のイヤホン。
【請求項８】
一組のイヤーヘッドセットを構成する一方のイヤホンであって、
音声データを取得する音声取得部と、
他方のイヤホンが取得した音声データと前記音声取得部が取得した音声データの音質を向上する処理を行うため、無線通信により前記他方のイヤホンへ前記音声取得部が取得した前記音声データを送信する通信部と、
を備える、イヤホン。
【請求項９】
前記通信部は、近距離磁気誘導により前記音声取得部が取得した前記音声データを送信する、請求項８に記載のイヤホン。
【請求項１０】
前記通信部は、オーディオチャンネルを用いて前記音声取得部が取得した前記音声データを送信する、請求項９に記載のイヤホン。
【請求項１１】
前記通信部は、データチャンネルを用いて前記音声取得部が取得した前記音声データを送信する、請求項９に記載のイヤホン。
【請求項１２】
前記他方のイヤホンから前記音声データの取得を開始するタイミングを示すタイミング信号を受信し、
前記音声取得部は、前記タイミング信号を受信すると前記音声データの取得を開始する、請求項１１に記載のイヤホン。
【請求項１３】
前記音声取得部が取得した前記音声データをエンコードするエンコード部を備え、
前記通信部は、エンコードされた前記音声データを送信する、請求項１１に記載のイヤホン。
【請求項１４】
一組のイヤーヘッドセットを構成する一方のイヤホンであって、音声データを取得する音声取得部と、無線通信により他方のイヤホンから音声データを受信する通信部と、前記音声取得部が取得した前記音声データと前記他方のイヤホンから受信した前記音声データの音質を向上する処理を行う音質向上処理部と、を備える、第１のイヤホンと、
一組の前記イヤーヘッドセットを構成する他方のイヤホンであって、音声データを取得する音声取得部と、前記他方のイヤホンへ前記音声取得部が取得した前記音声データを送信する通信部と、を備える、第２のイヤホンと、
を備える、イヤホンシステム。
【請求項１５】
イヤホンシステムにおける方法であって、
一組のイヤーヘッドセットを構成する一方のイヤホンが音声データを取得することと、
一組の前記イヤーヘッドセットを構成する他方のイヤホンが音声データを取得することと、
前記一方のイヤホンが、無線通信により他方のイヤホンが取得した前記音声データを受信することと、
前記一方のイヤホンが取得した前記音声データと、前記他方のイヤホンから受信した前記音声データの音質を向上する処理を行うことと、
を備える、イヤホンシステムにおける方法。
【発明の詳細な説明】
【技術分野】
【０００１】
本開示は、イヤホン、イヤホンシステム、及びイヤホンシステムにおける方法に関する。
【背景技術】
【０００２】
従来、例えば下記の特許文献１には、外部の音声を収音して音声信号に変換する２つのマイクと、マイクから入力される音声信号にビームフォーミング処理を含む処理を施す音声信号処理部を備える情報処理装置が記載されている。
【先行技術文献】
【特許文献】
【０００３】
【特許文献１】特開２０１１−６１４２２号公報
【発明の概要】
【発明が解決しようとする課題】
【０００４】
イヤホンがマイクロフォンを備えており、マイクロフォンで取得した音声を外部に送信するような場合、マイクロフォンの数が多いほど、音声の品質を向上することができる。しかしながら、マイクロフォンの数を増やすと、イヤホンの小型形状を保ったまま効果的なマイクロフォンアレイを形成することが困難になる。特に小型化の要請が高いイヤーヘッドにおいては、１対のイヤーヘッドの一方に複数のマイクロフォンを搭載することは困難である。上記特許文献１には、２つのマイクから入力される音声信号にビームフォーミング処理を施すことが記載されているが、無線で音声信号を集約してビームフォームイング処理することは、何ら想定していなかった。【０００５】
そこで、イヤホンが取得する音声の品質をより高めることが望まれていた。
【課題を解決するための手段】
【０００６】
本開示によれば、一組のイヤーヘッドセットを構成する一方のイヤホンであって、音声データを取得する音声取得部と、無線通信により他方のイヤホンから音声データを受信する通信部と、前記音声取得部が取得した前記音声データと前記他方のイヤホンから受信した前記音声データの音質を向上する処理を行う音質向上処理部と、を備える、イヤホンが提供される。【０００７】
本開示によれば、一組のイヤーヘッドセットを構成する一方のイヤホンであって、音声データを取得する音声取得部と、他方のイヤホンが取得した音声データと前記音声取得部が取得した音声データの音質を向上する処理を行うため、無線通信により前記他方のイヤホンへ前記音声取得部が取得した前記音声データを送信する通信部と、を備える、イヤホンが提供される。【０００８】
本開示によれば、一組のイヤーヘッドセットを構成する一方のイヤホンであって、音声データを取得する音声取得部と、無線通信により他方のイヤホンから音声データを受信する通信部と、前記音声取得部が取得した前記音声データと前記他方のイヤホンから受信した前記音声データの音質を向上する処理を行う音質向上処理部と、を備える、第１のイヤホンと、一組の前記イヤーヘッドセットを構成する他方のイヤホンであって、音声データを取得する音声取得部と、前記他方のイヤホンへ前記音声取得部が取得した前記音声データを送信する通信部と、を備える、第２のイヤホンと、を備える、イヤホンシステムが提供される。【０００９】
また、本開示によれば、イヤホンシステムにおける方法であって、一組のイヤーヘッドセットを構成する一方のイヤホンが音声データを取得することと、一組の前記イヤーヘッドセットを構成する他方のイヤホンが音声データを取得することと、前記一方のイヤホンが、無線通信により他方のイヤホンが取得した前記音声データを受信することと、前記一方のイヤホンが取得した前記音声データと、前記他方のイヤホンから受信した前記音声データの音質を向上する処理を行うことと、を備える、イヤホンシステムにおける方法が提供される。
【発明の効果】
【００１０】
以上説明したように本開示によれば、イヤホンが取得する音声の品質をより高めることが可能となる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係るイヤホンシステムの構成を示す模式図である。
【図２】データチャンネルを用いてスレーブ側のイヤホンからマスター側のイヤホンへ音声を送信する場合を示す模式図である。
【図３】マスター側のイヤホンで行われる遅延処理を説明するためのタイミングチャートである。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．システムの構成例
２．オーディオチャンネルを用いる場合
３．データチャンネルを用いる場合
【００１４】
１．システムの構成例
まず、図１を参照して、本開示の一実施形態に係るイヤホンシステム１０００の構成について説明する。図１に示すように、このシステム１０００は、マスター側のイヤホン１００とスレーブ側のイヤホン２００とを有する、１組のイヤーヘッドセットから構成されている。マスター側のイヤホン１００とスレーブ側のイヤホン２００は、別体に構成され、それぞれがユーザの片耳に挿入される。一例として、マスター側のイヤホン１００は右耳に挿入され、スレーブ側のイヤホン２００は左耳に挿入されるものとする。
【００１５】
マスター側のイヤホン１００は、２つのマイクロフォン１０２，１０４を備えている。また、マスター側のイヤホン１００は、通信部１１０、アンテナ１１２、ビームフォーミング部（音声品質向上処理部）１２０、遅延部１２２、制御部１３０、外部送信部１４０、電源ＩＣ１５０を有して構成されている。
【００１６】
同様に、スレーブ側のイヤホン２００は、２つのマイクロフォン２０２，２０４を備えている。また、スレーブ側のイヤホン２００は、通信部２１０、アンテナ２１２、オーディオコーデック部２２０、制御部２３０、電源ＩＣ２５０を有して構成されている。
【００１７】
本実施形態のシステム１０００では、マスター側のイヤホン１００のマイクロフォン１０２，１０４が取得した音声と、スレーブ側のイヤホン２００のマイクロフォン２０２，２０４が取得した音声とをマスター側でビームフォーミングして、自動音声認識（ＡＳＲ）エンジンなどに音声情報を送信する。この際、マイクロフォンの数が多いほど、Ｓ／Ｎ比の高い質の高い音声情報が得られる。従って、本実施形態のシステム１０００によれば、マスター側のイヤホン１００とスレーブ側のイヤホン２００のそれぞれでビームフォーミングを行う場合と比較して、４つのマイクロフォン１０２，１０４，２０２，２０４の音声を用いてビームフォーミングを行うことができるため、雑音を低減して高品質の音声を得ることができ、自動音声認識エンジン等における音声認識の成功率を高めることができる。また、合計４つのマイクロフォンがマスター側のイヤホン１００とスレーブ側のイヤホン２００に分散して配置されるため、全てのマイクロフォンをマスター側のイヤホン１００とスレーブ側のイヤホン２００のいずれか一方に配置した場合に比べて、イヤホンを小型化することができる。
【００１８】
また、ビームフォーミングした音声は、他の人と音声通話を行うため、他の人が使用するイヤーヘッドセットに送信してもよい。この場合も、高品質の音声で通話を行うことができる。
【００１９】
ビームフォーミングは、マスター側のイヤホン１００のビームフォーミング部１２０で行われる。このため、スレーブ側のイヤホン２００のマイクロフォン２０２，２０４が取得した音声は、マスター側のイヤホン１００へ送信される。送信の方式として様々な方式を用いることができるが、本実施形態のシステム１０００では、アンテナ１１２，２１２を介して、特にＮＦＭＩ（Ｎｅａｒ  Ｆｉｅｌｄ  Ｍａｇｎｅｔｉｃ  Ｉｎｄｕｃｔｉｏｎ／近距離磁界誘導）を用いてスレーブ側のイヤホン２００からマスター側のイヤホン１００へ音声を送る。これにより、マスター側のイヤホン１００では、４つのマイクロフォン１０２，１０４，２０２，２０４の音声を用いてビームフォーミングを行うことができる。
【００２０】
なお、本実施形態では、複数のマイクロフォン１０２，１０４，２０２，２０４が取得した音声の品質を向上させる処理として、音声に指向性を持たせるビームフォーミング処理を例示するが、ビームフォーミング処理以外の音声品質向上の処理を行っても良い。例えば、複数のマイクロフォン１０２，１０４，２０２，２０４が取得した音声の風切り音のノイズを低減する処理等を行っても良い。従って、ビームフォーミング部１２０は、広義には音声品質向上処理部として機能する。
【００２１】
ＮＦＭＩによりスレーブ側のイヤホン２００からマスター側のイヤホン１００へ音声を送信する際に、オーディオチャンネルとデータチャンネルを用いることができる。なお、オーディオチャンネルとは、データの完全性を保証しないことで、データの到達遅延時間が一定である無線伝送路である。また、データチャンネルとは、データ完全性が保証された無線伝送路である、データチャンネルでは、誤り訂正等により情報の伝達時間が左右される。本実施形態では、オーディオチャンネルまたはデータチャンネルを用いてスレーブ側のイヤホン２００からマスター側のイヤホン１００へ音声を送信する。以下、オーディオチャンネルを用いる場合とデータチャンネルを用いる場合のそれぞれについて説明する。
【００２２】
２．オーディオチャンネルを用いる場合
先ず、図１に基づいて、オーディオチャンネルを用いてスレーブ側のイヤホン２００からマスター側のイヤホン１００へ音声を送信する場合について説明する。スレーブ側のイヤホン２００のマイクロフォン２０２，２０４は、音声をＰＣＭ（ＰＣＭ：Ｐｕｌｓｅ  Ｃｏｄｅ  Ｍｏｄｕｌａｔｉｏｎ）データとして取得する。スレーブ側のイヤホン２００のマイクロフォン２０２，２０４が取得した音声は、ＮＦＭＩを用いてスレーブ側のイヤホン２００の通信部２１０からマスター側のイヤホン１００の通信部１１０へ送られる。
【００２３】
オーディオチャンネルを用いる場合は、通信部２１０、通信部１１０にて、非可逆の音声コーデックにより音声データの圧縮と伸長が自動的に行われる。非可逆の音声コーデックとして、例えばＡＤＰＣＭ等の音声コーデックを用いる。通信部２１０ではＰＣＭデータの圧縮を行い、通信部１１０では伸長を行うことでＰＣＭデータに戻す。従って、後述するデータチャンネルを用いる場合とは異なり、制御部２３０、制御部１３０による音声のデータの可逆的な圧縮、伸長は行われない。ＡＤＰＣＭ等の非可逆の音声コーデックを用いた場合、音声の品質に若干の劣化が生じる場合がある。
【００２４】
マスター側のイヤホン１００では、スレーブ側のマイクロフォン２０２，２０４の音声が、通信部１１０からビームフォーミング部１２０へ送られる。一方、マスター側のイヤホン１００のマイクロフォン１０２，１０４で取得された音声もビームフォーミング部１２０へ送られる。マスター側のイヤホン１００のマイクロフォン１０２，１０４で取得された音声は、遅延部１２２において、所定の時間だけ遅延される。これにより、スレーブ側のイヤホン２００からマスター側のイヤホン１００に音声が送られる際に生じる遅延を考慮して、ビームフォーミングを最適に行うことができる。
【００２５】
ビームフォーミング部１２０では、４つのマイクロフォン１０２，１０４，２０２，２０４の音声を用いて、４チャンネルのビームフォーミングを行う。ビームフォーミングされた音声は、外部送信部１４０に送られる。外部送信部１４０は、例えばＢｌｕｅｔｏｏｔｈ（登録商標）等の方式で、ビームフォーミングが行われた音声を外部の装置へ送信する。また、イヤホンシステム１０００はインターネット等のネットワークに直接接続することもできる。この場合、外部送信部１４０から、外部の装置を介さないで自動音声認識エンジン等のアプリケーションへ音声が直接送信される。
【００２６】
以上のように、オーディオチャンネルを用いる場合は、図１中に示す一点鎖線Ｐ１に沿って音声のデータが送られる。なお、制御部１３０は、マスター側のイヤホン１００の構成要素の全体を制御する機能を有している。同様に、制御部２３０は、スレーブ側のイヤホン２００の構成要素の全体を制御する機能を有している。
【００２７】
外部の装置は、例えばスマートフォンやパーソナルコンピュータ（ＰＣ）等の装置である。外部の装置が外部送信部１４０から音声を受信することで、例えば自動音声認識エンジンなどのアプリケーションに音声が入力され、音声認識が行われる。これにより、検索エンジンにより所望の情報が検索される。
【００２８】
３．データチャンネルを用いる場合
次に、図２に基づいて、データチャンネルを用いてスレーブ側のイヤホン２００からマスター側のイヤホン１００へ音声を送信する場合について説明する。オーディオチャンネルを用いる場合と同様、スレーブ側のイヤホン２００のマイクロフォン２０２，２０４は、音声をＰＣＭデータとして取得する。スレーブ側のイヤホン２００のマイクロフォン２０２，２０４が取得した音声は、制御部２３０に送られる。制御部２３０では、音声のエンコードを行い、エンコードされた音声のデータは通信部２１０に送られる。そして、エンコードされた音声のデータは、ＮＦＭＩを用いてスレーブ側のイヤホン２００の通信部２１０からマスター側のイヤホン１００の通信部１１０へ送られる。
【００２９】
マスター側のイヤホン１００の通信部１１０では、エンコードされた音声のデータを受信し、制御部１３０へ送る。制御部１３０では、エンコードされた音声のデータをデコードし、ビームフォーミング部１２０へ送る。
【００３０】
データチャンネルを用いる場合は、スレーブ側のイヤホン２００で行うエンコード処理が可逆圧縮であり、マスター側のイヤホン１００でデコード処理を行うため、マスター側のイヤホン１００では原音そのままの状態で音声を復元できる。従って、スレーブ側のイヤホン２００からマスター側のイヤホンに音声を送るに際し、音質に劣化が生じることがなく、原音そのままの高品質な音声を維持できる。なお、コーデックの方法としては、例えばＦＬＡＣ等を用いることができる。
【００３１】
ビームフォーミング部１２０では、４つのマイクロフォン１０２，１０４，２０２，２０４の音声を用いてビームフォーミングを行う。以降は、オーディオチャンネルを用いる場合と同様である。ビームフォーミングされた音声は、外部送信部１４０に送られる。外部送信部１４０は、例えばＢｌｕｅｔｏｏｔｈ（登録商標）等の方式で、ビームフォーミングが行われた音声を外部の装置へ送信する。
【００３２】
以上のように、データチャンネルを用いる場合は、図２中に示す一点鎖線Ｐ２に沿って音声のデータが送られる。なお、制御部１３０は、上述したデコードの処理を行う他、マスター側のイヤホン１００の構成要素の全体を制御する。同様に、制御部２３０は、上述したエンコードの処理を行う他、スレーブ側のイヤホン２００の構成要素の全体を制御する。
【００３３】
データチャンネルを用いる場合、スレーブ側のイヤホン２００のマイクロフォン２０２，２０４とマスター側のイヤホン１００のマイクロフォン１０２，１０４とでは、同時に音声を取得する。
【００３４】
このため、オーディオチャンネルを用いて、マスター側のイヤホン１００からスレーブ側のイヤホン２００へ、音声取得を開始するタイミングを示すタイミング信号が送られる。タイミング信号は、オーディオチャンネルを使用して送られる。スレーブ側のイヤホン２００では、タイミング信号を受信した時点で音声取得を開始する。マスター−スレーブ間の遅延時間は固定値であるため、マスター側のイヤホン１００では、固定値である遅延時間の分だけ待機した上で、音声取得を開始する。これにより、スレーブ側のイヤホン２００のマイクロフォン２０２，２０４とマスター側のイヤホン１００のマイクロフォン１０２，１０４とで、同時に音声を取得することが可能である。
【００３５】
図３は、マスター側のイヤホン１００で行われる遅延処理を説明するためのタイミングチャートである。図３では、上から順に、マスター側のイヤホン１００がスレーブ側のイヤホン２００に送信したタイミング信号、スレーブ側のイヤホン２００が受信したタイミング信号、マスター側のイヤホン１００が音声取得を開始するタイミング信号を示している。
【００３６】
図３に示すように、時刻ｔ１でマスター側のイヤホン１００がスレーブ側のイヤホン２００へタイミング信号を送信すると、時刻ｔ２において、スレーブ側のイヤホン２００がタイミング信号を受信する。スレーブ側のイヤホン２００では、時刻ｔ２でタイミング信号を受信すると、所定時間が経過した時刻ｔ３の時点で音声の取得を開始する。なお、時刻ｔ２から時刻ｔ３までの時間は、ハードウェアの応答時間に起因する時間であり、固定値である。
【００３７】
マスター側のイヤホン１００では、時刻ｔ１でタイミング信号を送信した後、所定の遅延時間Ｔが経過すると、音声の取得を開始する。遅延時間Ｔは、マスター側のイヤホン１００が音声を取得するタイミングが時刻ｔ３と一致するように、予め定められている。これにより、マスター側のイヤホン１００とスレーブ側のイヤホン２００との間で、音声を取得するタイミングを一致させることができる。これにより、スレーブ側のイヤホン２００からマスター側のイヤホン１００の音声を同期することができ、マスター側のビームフォーミング部１２０において、ビームフォーミングを最適に行うことができる。
【００３８】
なお、例えば、マイクロフォン１０２，１０４，２０２，２０４による音声取得（録音）を一定時間毎（例えば２０ｍｓ毎）に行い、その音声データをビームフォーミング処理して外部送信部１４０に送るものとする。スレーブ側のイヤホン２００からマスター側のイヤホン１００の転送遅延に関しては、外部送信部１４０に音声データを送った後、次の一定時間の間にスレーブ側のイヤホン２００からマスター側のイヤホン１００への音声データの転送が行われ、及びビームフォーミング処理が終了していれば、転送遅延は問題とならない。
【００３９】
なお、オーディオチャネルの場合は、オーディオチャネルの遅延時間は予め決まった値であるため、マスター側のイヤホン１００のビームフォーミング部１２０では、遅延時間を考慮した上でビームフォーミングを行うことができる。従って、マスター側のイヤホン１００からスレーブ側のイヤホン２００へのタイミング信号の送信は不要である。
【００４０】
なお、本実施形態では、１つのマスター側のイヤホン１００と１つのスレーブ側のイヤホン２００とを有する、１組のイヤーヘッドセットから構成されるイヤホンシステム１０００を例に挙げて説明したが、例えばスレーブ側のイヤホン２００は複数であっても良い。これにより、マイクロフォンの数をより増加することができ、更なる音声品質の向上を達成することが可能である。
【００４１】
以上説明したように本実施形態によれば、マスター側のイヤホン１００のマイクロフォン１０２，１０４が取得した音声と、スレーブ側のイヤホン２００のマイクロフォン２０２，２０４が取得した音声とをマスター側に集約してビームフォーミングするようにした。これにより、ビームフォーミングした音声の品質を高めることが可能となる。また、複数のマイクロフォンをマスター側とスレーブ側に分散して配置することができるため、マスター側のイヤホン１００とスレーブ側のイヤホン２００の小型化を達成することができる。
【００４２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００４４】
なお、以下のような構成も本開示の技術的範囲に属する。
（１）  一組のイヤーヘッドセットを構成する一方のイヤホンであって、
音声データを取得する音声取得部と、
無線通信により他方のイヤホンから音声データを受信する通信部と、
前記音声取得部が取得した前記音声データと前記他方のイヤホンから受信した前記音声データの音質を向上する処理を行う音質向上処理部と、
を備える、イヤホン。
（２）  前記通信部は、近距離磁気誘導により前記他方のイヤホンから前記音声データを受信する、前記（１）に記載のイヤホン。
（３）  前記通信部は、オーディオチャンネルを用いて前記他方のイヤホンから前記音声データを受信する、前記（２）に記載のイヤホン。
（４）  前記他方のイヤホンから受信した前記音声データに対して前記音声取得部が取得した前記音声データを遅延させる遅延部を備える、前記（３）に記載のイヤホン。
（５）  前記通信部は、データチャンネルを用いて前記他方のイヤホンから前記音声データを受信する、前記（２）に記載のイヤホン。
（６）  前記他方のイヤホンが前記音声データの取得を開始するタイミングを示すタイミング信号を送信し、
前記音声取得部は、前記タイミング信号を送信してから所定の遅延時間の経過後に前記音声データの取得を開始する、前記（５）に記載のイヤホン。
（７）  前記他方のイヤホンから受信した前記音声データはエンコードされており、
前記他方のイヤホンから受信した前記音声データをデコードするデコード部を備える、前記（５）に記載のイヤホン。
（８）  一組のイヤーヘッドセットを構成する一方のイヤホンであって、
音声データを取得する音声取得部と、
他方のイヤホンが取得した音声データと前記音声取得部が取得した音声データの音質を向上する処理を行うため、無線通信により前記他方のイヤホンへ前記音声取得部が取得した前記音声データを送信する通信部と、
を備える、イヤホン。
（９）  前記通信部は、近距離磁気誘導により前記音声取得部が取得した前記音声データを送信する、前記（８）に記載のイヤホン。
（１０）  前記通信部は、オーディオチャンネルを用いて前記音声取得部が取得した前記音声データを送信する、前記（９）に記載のイヤホン。
（１１）  前記通信部は、データチャンネルを用いて前記音声取得部が取得した前記音声データを送信する、前記（９）に記載のイヤホン。
（１２）  前記他方のイヤホンから前記音声データの取得を開始するタイミングを示すタイミング信号を受信し、
前記音声取得部は、前記タイミング信号を受信すると前記音声データの取得を開始する、前記（１１）に記載のイヤホン。
（１３）  前記音声取得部が取得した前記音声データをエンコードするエンコード部を備え、
前記通信部は、エンコードされた前記音声データを送信する、前記（１１）又は（１２）に記載のイヤホン。
（１４）  一組のイヤーヘッドセットを構成する一方のイヤホンであって、音声データを取得する音声取得部と、無線通信により他方のイヤホンから音声データを受信する通信部と、前記音声取得部が取得した前記音声データと前記他方のイヤホンから受信した前記音声データの音質を向上する処理を行う音質向上処理部と、を備える、第１のイヤホンと、
一組の前記イヤーヘッドセットを構成する他方のイヤホンであって、音声データを取得する音声取得部と、前記他方のイヤホンへ前記音声取得部が取得した前記音声データを送信する通信部と、を備える、第２のイヤホンと、
を備える、イヤホンシステム。
（１５）  イヤホンシステムにおける方法であって、
一組のイヤーヘッドセットを構成する一方のイヤホンが音声データを取得することと、
一組の前記イヤーヘッドセットを構成する他方のイヤホンが音声データを取得することと、
前記一方のイヤホンが、無線通信により他方のイヤホンが取得した前記音声データを受信することと、
前記一方のイヤホンが取得した前記音声データと、前記他方のイヤホンから受信した前記音声データの音質を向上する処理を行うことと、
を備える、イヤホンシステムにおける方法。
【符号の説明】
【００４５】
１００，２００    イヤホン
１１０，２１０    通信部
１２０    ビームフォーミング部
１２２    遅延部
１０００  イヤホンシステム
【図１】
2019163538.tif 000003
【図２】
2019163538.tif 000004
【図３】
2019163538.tif 000005
【国際調査報告】
2019163538.tif 000006
2019163538.tif 000007
2019163538.tif 000008
2019163538.tif 000009